(57)【要約】【課題】テーブル等に載置して使用することができる小型のカード保持具を提供する。【解決手段】線状のばね材１０を、側面に平面１ａ、１ｂを有する略筒状に巻回して形成する。平面１ａにおいて、ばね材１０は、中心軸と略直交する方向に沿って延設され、平面１ａと隣接する部分において、ばね材１０は、平面１ａに対して０度から９０度の間の角度である第１の角度だけ傾いて延設される。【選択図】  図１
2017047541.tif 000002
【特許請求の範囲】
【請求項１】
線状のばね材を、側面に平面を有する略筒状に巻回して形成したカード保持具であって、
前記平面において、前記ばね材は、中心軸と略直交する方向に沿って延設され、
前記平面と隣接する部分において、前記ばね材は、前記平面に対して０度から９０度の間の角度である第１の角度だけ傾いて延設される
ことを特徴とするカード保持具。
【請求項２】
請求項１に記載のカード保持具であって、
前記平面は、対向する第１の平面と第２の平面とを有し、
前記第１の平面と前記第２の平面とは、対向する２つの曲面により連結され、
前記２つの曲面において、前記ばね材は、前記平面に対し前記第１の角度だけ傾いて延設される
ことを特徴とするカード保持具。
【請求項３】
請求項１に記載のカード保持具であって、
前記ばね材は、直径が略０．８ｍｍから略１．２ｍｍの弾性を有する鋼線であり、
前記ばね材と前記ばね材との間隔が、略０．２５ｍｍより広く略０．３５ｍｍより狭くなるように巻回される
ことを特徴とするカード保持具。
【発明の詳細な説明】
【技術分野】
【０００１】
本発明は、カード保持具に関する。
【背景技術】
【０００２】
特許文献１には、弾性線材を密接状又は所定のピッチでコイル形に巻回してなる挟持部の線材の一端を支柱として延長する一方、挟持部の線材の他端を支柱の方向に延長してなる摘み片として形成した表示用カード止具が開示されている。
【先行技術文献】
【特許文献】
【０００３】
【特許文献１】特開２００３−２５５８３４号公報
【発明の概要】
【発明が解決しようとする課題】
【０００４】
しかしながら、引用文献１に記載の発明においては、支柱が必須であるため、表示用カード止具が大型化するうえ、表示用カード止具だけをテーブル等に載置して使うことができないという問題がある。
【０００５】
本発明はこのような事情に鑑みてなされたもので、テーブル等に載置して使用することができる小型のカード保持具を提供することを目的とする。
【課題を解決するための手段】
【０００６】
本発明は上記の目的を達成するためになされたもので、カード保持具は、線状のばね材を、側面に平面を有する略筒状に巻回して形成したカード保持具であって、前記平面において、前記ばね材は、中心軸と略直交する方向に沿って延設され、前記平面と隣接する部分において、前記ばね材は、前記平面に対して０度から９０度の間の角度である第１の角度だけ傾いて延設されることを特徴とする。
【０００７】
これにより、小型のカード保持具を、テーブル等に載置して使用することができる。また、線状のばね材を略筒状に巻回して形成されているため、ばね材とばね材との間にカード等を挟んで保持したまま、カード保持具を回転させることができる。さらに、平面と隣接する部分において、ばね材が、平面に対して第１の角度だけ傾いて延設されるため、平面をテーブル等に載置した状態から、中心軸の延設方向を変えないようにカード保持具を回転させることで、カード等を保持する角度を変えることができる。
【０００８】
ここで、前記平面は、対向する第１の平面と第２の平面とを有し、前記第１の平面と前記第２の平面とは、対向する２つの曲面により連結され、前記２つの曲面において、前記ばね材は、前記平面に対し前記第１の角度だけ傾いて延設されてもよい。これにより、カード保持具に保持させるカード等が所望の角度となるように、カード保持具を略１８０°の範囲内で自由に回転させることができる。また、第１の平面と第２の平面が曲面により連結されているため、カード保持具を滑らかに回転させることができる。
【０００９】
ここで、前記ばね材は、直径が略０．８ｍｍから略１．２ｍｍの弾性を有する鋼線であり、前記ばね材と前記ばね材との間隔、略０．２５ｍｍより広く略０．３５ｍｍより狭くなるように巻回されてもよい。これにより、カード保持具の形状を保ちつつ、カード保持具に挿入するカード等を変形させないようにすることができる。
【発明の効果】
【００１０】
本発明はこのような事情に鑑みてなされたもので、テーブル等に載置して使用することができる小型のカード保持具を提供することができる。
【図面の簡単な説明】
【００１１】
【図１】本発明の第１の実施形態に係るカード保持具１の斜視図である。
【図２】カード保持具１の正面図である。
【図３】カード保持具１の側面図である。
【図４】カード保持具１の平面１ａを天板に載置させて、ばね材１０とばね材１０との間にカード１００を挟んで保持させた状態を示す図である。
【図５】図４のＢ矢視である。
【図６】図４及び図５に示す状態から、カード保持具１をＣ方向から見て反時計回りに略４５°回転させた状態を示す図である。
【図７】図６のＢ矢視である。
【図８】図４及び図５に示す状態から、カード保持具１をＣ方向から見て反時計回りに略９０°回転させた状態を示す図である。
【図９】図８のＢ矢視である。
【図１０】図８及び図９に示す状態から、カード保持具１をＣ方向から見て反時計回りに略９０°回転させた状態を示す図である。
【図１１】側面に１つの平面１ａを有し、端面が略Ｄ字形状のカード保持具１Ａの正面図である。
【図１２】側面に４つの平面１ａ、１ｂ、１ｆ、１ｇを有し、端面が略角丸四角形状のカード保持具１Ｂの正面図である。
【発明を実施するための形態】
【００１２】
以下、本発明の一実施形態について図面を参照しながら説明する。
【００１３】
［カード保持具の構成］
図１は、カード保持具１の斜視図である。図２は、カード保持具１の正面図である。図３は、カード保持具１の側面図である。カード保持具１は、線状のばね材１０を略筒状に巻回して形成される。カード保持具１は、ばね材１０とばね材１０との間にカード等を挟んで保持して使用するものである（図４〜１０等参照）。
【００１４】
ばね材１０は、弾性を有する鋼線（例えば、硬鋼線、ピアノ線、オイルテンパー線、ステンレス鋼線等）であり、本実施の形態ではステンレス鋼を用いる。しかしながら、所定の弾性を確保できるのであれば、ばね材１０として、合成樹脂等の非金属材料を用いてもよい。
【００１５】
カード保持具１は、略筒状の側面に、平面１ａ、１ｂを有する。平面１ａ、１ｂは、曲面１ｃ、１ｄにより連結される。平面１ａ（平面１ｂでもよい）は、カード保持具１を安定してテーブル等の平面（以下、天板という）に載置するための載置面として機能する。
【００１６】
平面１ａ、１ｂは、ばね材１０の直線部１１が隣接して並ぶことにより形成され、曲面１ｃ、１ｄは、ばね材１０の曲線部１２が隣接して並ぶことにより形成される。
【００１７】
カード保持具１は、略筒状の２つの端面の形状（図１〜３における−ｙ方向及び＋ｙ方向から見たときの形状）が、対向する２つの直線部１１と、これらを連結する２つの曲線部１２とを有するトラック楕円（オーバルトラック）形状となるように形成される。なお、２つの直線部１１が厳密に平行でなく数度程度の誤差を含む場合であっても、このトラック楕円形状に含まれる。
【００１８】
図１及び図２に示すように、平面１ａ、１ｂにおいて、直線部１１は、中心軸Ａと略直交する方向に沿って（図１〜３におけるｘ方向に略沿って）延設される。なお、ばね材１０は螺旋状に巻回されるため、直線部１１は、少なくともばね材１０の直径分だけ斜めに巻回されているが、直線部１１の長さに比べてばね材１０の直径は小さいため、直線部１１は中心軸Ａと略直交する方向に沿って延設されるといえる。
【００１９】
図３に示すように、平面１ａ、１ｂに隣接する曲面１ｃ、１ｄにおいて、曲線部１２は、平面１ａ、１ｂに対して角度θだけ傾いて延設される。ここで、角度θは、０°から９０°の間の任意の角度である。本実施の形態では、角度θは略７０°である。なお、図３においては、平面１ａ、１ｂを模式的に２点鎖線で示している。なお、角度θは、例えば７０°という狭い範囲の角度ではなく、数度程度の誤差（例えば、６８°〜７２°）を含む概念である。
【００２０】
図２、３に示すように、カード保持具１は、幅Ｗが略１２ｍｍであり、高さＨが略６ｍｍである。カード保持具１を安定して天板に載置するためには、幅Ｗを、高さＨの略倍以上とすることが望ましい。カード保持具１の長さＬ（図３参照）は、２０ｍｍ〜５０ｍｍの間の任意の大きさである。ただし、幅Ｗ、高さＨ及び長さＬはこれに限定されるものではない。
【００２１】
［カード保持具の形状詳細］
表１は、カード保持具１の形状を、幅Ｗが略１２ｍｍ、高さＨが略６ｍｍ、長さＬが４０ｍｍとしたときに、ばね材１０の線径（直径）を変更した実施例及び比較例を示す。
【００２２】
ばね材１０は、ステンレス鋼線（例えば、ＳＵＳ３０４−ＷＰＢ）を使用した。ただし、ばね材１０として用いるのは、鋼線であればステンレス鋼線に限定されない。また、鋼線に対して、バリ取り、めっき処理、真空蒸着処理等の表面処理を施したものも、鋼線に含まれる。例えば、ステンレス鋼線に表面処理を施したものもステンレス鋼線に含まれる。
【００２３】
カード１００は、厚さが略０．２１ｍｍ〜略０．２６ｍｍのものを使用した。また、カード保持具１は、ばね材１０とばね材１０との間隔が略０．３ｍｍとなるように巻回して形成した。
【００２４】
【表１】
2017047541.tif 000003
【００２５】
表１に示すように、ばね材１０の線径が０．５ｍｍの場合（比較例１）には、ばね材１０が細すぎてカード保持具１の剛性が低すぎるため、カード保持具１を持ち上げた時に形状を保つことができなかった。また、ばね材１０の線径が０．５ｍｍの場合（比較例１）には、ばね材１０とばね材１０との間にカード１００をしっかり挟んで保持することができなかった。
【００２６】
逆に、ばね材１０の線径が１．５ｍｍの場合（比較例２）には、ばね材１０が太く変形し難いため、カード１００をばね材１０とばね材１０との間に挿入したときに、ばね材１０によりカード１００が変形してしまった。
【００２７】
したがって、ばね材１０として鋼線を用いる場合には、線径を略０．８ｍｍ〜略１．２ｍｍの間（実施例１〜３）とすることが望ましい。
【００２８】
表２は、カード保持具１におけるばね材１０とばね材１０との間隔（表２においては、ピッチという）を変更した実施例及び比較例を示す。カード保持具１の大きさは、幅Ｗが略１２ｍｍ、高さＨが略６ｍｍ、長さＬが４０ｍｍとした。また、ばね材１０は、ステンレス鋼線を使用した。カード１００は、厚さが略０．２１ｍｍ〜略０．２６ｍｍのものを使用した。
【００２９】
【表２】
2017047541.tif 000004
【００３０】
表２に示すように、ばね材１０とばね材１０との間隔が０．２５ｍｍの場合（比較例１）には、カード１００をばね材１０とばね材１０との間に挿入したときに、ばね材１０によりカード１００が変形してしまった。また、ばね材１０とばね材１０との間隔が０．３５ｍｍの場合（比較例１）には、ばね材１０とばね材１０との間にカード１００を保持できず、カード１００が倒れてしまった。なお、ばね材１０とばね材１０との間隔が０．３５ｍｍの場合（比較例１）には、長さＬを長くして対応することも可能であるが、小型のカード保持具１を提供するという本発明の目的に反してしまう。
【００３１】
したがって、ばね材１０として鋼線を用いる場合には、ばね材１０とばね材１０との間隔を略０．２５ｍｍより広く略０．３５ｍｍより狭くする（実施例１〜３）ことが望ましい。
【００３２】
［カード保持具の作用］
次に、このように形成されたカード保持具１の作用について説明する。図４及び図５は、カード保持具１の平面１ａを天板１０１に載置させて、ばね材１０とばね材１０との間にカード１００を挟んで保持させた状態を示す図である。図５は、図４のＢ矢視である。なお、図４及び図５では、カード１００を一番端のばね材１０とその隣のばね材１０との間に挿入しているが、カード１００を挿入する位置はこれに限られない。
【００３３】
図４及び図５に示す状態では、カード１００は、天板１０１に対して角度θだけ傾いている。
【００３４】
図６及び図７は、図４及び図５に示す状態から、中心軸Ａの延設方向を変えないように、カード保持具１をＣ方向から見て反時計回りに略４５°回転させた状態を示す図である。図８及び図９は、図４及び図５に示す状態から、中心軸Ａの延設方向を変えないように、カード保持具１をＣ方向から見て反時計回りに略９０°回転させた状態を示す図である。図７及び図９は、それぞれ図６及び図８のＢ矢視である。
【００３５】
ばね材１０はコイル状に巻回されているため、ばね材１０とばね材１０との間にカード１００を挟んで保持したまま、カード保持具１を回転させることができる。また、平面１ａに隣接して円弧形状の曲面１ｃ、１ｄが設けられているため、カード保持具１を滑らかに回転させることができる。
【００３６】
なお、本実施の形態では、図４及び図５に示す状態から、カード保持具１をＣ方向から見て反時計回りに略４５°や略９０°回転させたが、カード保持具１はＣ方向から見て時計回りに略４５°や略９０°回転させることもできる。
【００３７】
図３に示すように、曲線部１２は、平面１ａ、１ｂに対して傾いている。したがって、図４及び図５に示す状態から、中心軸Ａの延設方向を変えないようにカード保持具１を回転させていくと、カード１００と天板１０１とのなす角が大きくなる。具体的には、図５におけるカード１００と天板１０１とのなす角は、角度θであり、図７におけるカード１００と天板１０１とのなす角は、角度θより大きい角度αであり、図９におけるカード１００と天板１０１とのなす角は、角度αより大きい角度βである。
【００３８】
図１０は、図８及び図９に示す状態から、カード保持具１をＣ方向から見て反時計回りに略９０°回転させた状態、すなわち、図４及び図５に示す状態から、カード保持具１をＣ方向から見て反時計回りに略１８０°回転させた状態を示す図である。この状態では、平面１ｂが天板１０１に載置されている。図１０において、図５におけるカード１００の位置を２点鎖線で示す。
【００３９】
図１０におけるカード１００は、図５におけるカード１００の位置を水平方向に反転した位置にある。このように、カード保持具１を、中心軸Ａの延設方向を変えないように略１８０°の範囲内で回転させると、カード１００の傾き、すなわちカード１００と天板１０１とのなす角度は、図１０中の矢印で示すように、θ〜１８０°−θとの間で変化する。角度θが略７０°とすると、カード保持具１を、中心軸Ａの延設方向を変えないように略１８０°の範囲内で回転させると、カード１００の傾きは、略７０°〜略１１０°の間で変化する。これにより、ユーザがカード１００を所望の角度で保持させることができる。なお、ここでいう角度とは、天板１０１のうちのカード保持具１が設けられている部分とのなす角度（図１０の右側を基準としたときの角度）である。
【００４０】
カード保持具１は、載置面として機能する平面１ａに対向して平面１ｂが設けられているため、平面１ａを天板に載置した状態から中心軸Ａの延設方向を変えないように略１８０°回転させたときに、ユーザは、カード保持具１が１８０°回転したことを容易に認識し、カード保持具１の回転を止めることができる。すなわち、ユーザは、カード１００を所望の角度で保持させるために、カード保持具１を略１８０°の範囲内で自由に回転させることができる。
【００４１】
［本発明の効果］
以上の通り、本発明によれば、線状のばね材１０を、平面１ａを有する略筒状に巻回してカード保持具１を形成したため、小型のカード保持具を天板に載置して使用することができる。
【００４２】
例えば、カード保持具が、コイル状に巻かれた把持部と、支柱と、を有する場合には、支柱があるため、その分だけカード保持具が大型化してしまう。これに対し、カード保持具１は略筒状の部材のみであるため、カード保持具を小型にすることができる。
【００４３】
また、カード保持具が支柱等を有する場合には、カード保持具を天板に載置した状態でカード保持具を使用することができない。それに対し、本発明のカード保持具では、カード保持具１は線状のばね材１０を筒状に巻回した部分のみで構成されている（支柱等は設けられていない）ため、カード保持具１を天板に載置した状態で使用可能である。
【００４４】
また、本発明によれば、カード保持具は線状のばね材１０を筒状に巻回した部分のみで構成されているため、カード保持具１にカード１００を挟んだまま、側面に沿ってカード保持具１を回転させることで、カード１００の保持角度を変えることができる。したがって、ユーザは、カード保持具１の回転量を調整することで、カード１００を所望の角度で保持させることができる。
【００４５】
また、本発明によれば、ばね材１０の線径が略０．８ｍｍ〜略１．２ｍｍの間であり、ばね材１０とばね材１０との間隔が略０．２５ｍｍより広く略０．３５ｍｍより狭くなるように巻回されているため、ばね材１０とばね材１０との間にカード１００を挟んでも、カード１００に跡がついたり変形したりしないようにすることができる。
【００４６】
［他実施形態］
なお、本実施の形態では、カード保持具１は、側面に２つの平面１ａ、１ｂを有し、端面の形状がトラック楕円形状となるように形成された（図２参照）が、カード保持具１の底面の形状はこれに限られない。例えば、側面に形成される平面は、２つに限られず、１つでもよいし、３個以上でもよい。少なくとも、カード保持具の側面には、載置面として機能する平面が１つあればよい。
【００４７】
図１１は、側面に１つの平面１ａを有し、端面が略Ｄ字形状のカード保持具１Ａの正面図である。カード保持具１Ａも、カード保持具１と同様に、線状のばね材１０を略筒状に巻回して形成される。
【００４８】
平面１ａを構成する直線部１１は、一部が切断された円弧形状の曲線部１３により両端が連結されている。側面に平面１ａが形成されているため、平面１ａを載置面として機能させることができる
【００４９】
また、カード保持具１Ａの平面１ａ以外の部分は曲面１ｅであるため、カード保持具１を、中心軸Ａの延設方向を変えないように、滑らかに回転させることができる。そのため、ユーザがカード１００を所望の角度で保持させることができる。
【００５０】
図１２は、側面に４つの平面１ａ、１ｂ、１ｆ、１ｇを有し、端面が略角丸四角形状のカード保持具１Ｂの正面図である。カード保持具１Ｂも、カード保持具１と同様に、線状のばね材１０を略筒状に巻回して形成される。
【００５１】
対向する平面１ａ、１ｂと、対向する平面１ｆ、１ｇとは、略直交する。平面１ａ、１ｂは、直線部１１が隣接して並ぶことにより形成され、曲面１ｃ、１ｄは、直線部１４が隣接して並ぶことにより形成される。直線部１１と直線部１４は、曲線部１５により連結される。
【００５２】
なお、２本の直線部１１及び２本の直線部１４は、厳密に平行でなくてもよく、数度程度の誤差を含む場合もこの略角丸四角形状に含まれる。また、直線部１１と直線部１４とは、厳密に直交でなくてもよく、数度程度の誤差を含む場合もこの略角丸四角形状に含まれる。
【００５３】
カード保持具１Ｂは、側面に平面１ａ、１ｂ、１ｆ、１ｇが形成されているため、平面１ａ、１ｂ、１ｆ、１ｇのうちの任意の面を載置面として機能させることができる。
【００５４】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００５５】
また、本発明において、「略」とは、厳密に同一である場合のみでなく、同一性を失わない程度の誤差や変形を含む概念である。例えば、「略筒形状」とは、厳密に筒形状の場合には限られない。また、例えば、「略４５°」とは、４５°に限定されず、同一性を失わない角度（数度程度）の誤差を含むものとする。また、例えば、単に略直交等と表現する場合において、厳密に直交等の場合のみでなく、略直交等の場合を含むものとする。
【符号の説明】
【００５６】
１、１Ａ、１Ｂ  ：カード保持具
１ａ            ：平面
１ｂ            ：平面
１ｃ            ：曲面
１ｄ            ：曲面
１ｅ            ：曲面
１ｆ            ：平面
１ｇ            ：平面
１０            ：ばね材
１１            ：直線部
１２            ：曲線部
１３            ：曲線部
１４            ：直線部
１５            ：曲線部
１００          ：カード
１０１          ：天板
【図１】
2017047541.tif 000005
【図２】
2017047541.tif 000006
【図３】
2017047541.tif 000007
【図４】
2017047541.tif 000008
【図５】
2017047541.tif 000009
【図６】
2017047541.tif 000010
【図７】
2017047541.tif 000011
【図８】
2017047541.tif 000012
【図９】
2017047541.tif 000013
【図１０】
2017047541.tif 000014
【図１１】
2017047541.tif 000015
【図１２】
2017047541.tif 000016